(57)【特許請求の範囲】
【請求項１】
略中央部に開口部が形成されているシャッタ地板と、略中央部に開口部が形成されていて前記シャッタ地板に取り付けられているカバー板と、略中央部に前記二つの開口部との合成によって露光用開口を規制する開口部が形成されており前記シャッタ地板と前記カバー板との間を仕切って二つの作動空間を形成している中間板と、複数枚の羽根を有していて前記二つの作動空間の一方に配置されておりセット時には露光用開口から退いている重畳位置から該露光用開口を覆っている展開位置に作動される先羽根群と、複数枚の羽根を有していて前記二つの作動空間の他方に配置されておりセット時には前記露光用開口を覆っている展開位置から該露光用開口から退いている重畳位置に作動される後羽根群と、複数枚の羽根を有していて前記後羽根群の作動空間に配置されておりセット時には前記露光用開口から退いている重畳位置から展開位置に作動されレリーズ時には該展開位置から該重畳位置に作動され該展開位置において該露光用開口の少なくとも一部を覆っていて常に前記後羽根群とは接触することの無い遮光羽根群とを備えており、前記遮光羽根群の重畳位置と前記後羽根群の重畳位置とは前記露光用開口を挟んで反対側となるように構成されていることを特徴とするフォーカルプレンシャッタ。
【請求項２】
セット時に、前記遮光羽根群が展開位置に達する前に前記後羽根群が重畳位置に達しているようにしたことを特徴とする請求項１に記載のフォーカルプレンシャッタ。
【請求項３】
前記先羽根群の作動空間がレンズ側にあって、前記後羽根群と前記遮光羽根群との作動空間がフィルム側となるように配置されていることを特徴とする請求項１又は２に記載のカメラ用フォーカルプレンシャッタ。
【請求項４】
前記遮光羽根群の羽根の枚数が前記先羽根群の羽根の枚数よりも少ないことを特徴とする請求項１乃至３の何れかに記載のカメラ用フォーカルプレンシャッタ。
【発明の詳細な説明】
【０００１】
【発明の属する技術分野】
本発明は、撮影に際し、先羽根群と後羽根群とを同一方向へ順次走行させ、それらによって形成されるスリットによってフィルムを露光するようにしたカメラ用のフォーカルプレンシャッタに関する。
【０００２】
【従来の技術】
一眼レフカメラの小型化及び高性能化に伴い、この種のフォーカルプレンシャッタにおいても小型化と高速化が要求されている。周知のように、フォーカルプレンシャッタはフィルム面の直前位置に配置されるものであるから、平面形状の大きさ（光軸と直交する面の大きさ）を小型化するためには、重畳状態（露光用開口から退いた状態）における羽根の格納スペースが小さくて済むようにするのが効果的である。しかし、そのためには、各羽根の展開方向の幅を小さくすると同時に羽根の枚数を増やさなければならなくなる。そして、羽根の枚数を増やすと、展開状態（露光用開口を覆っている状態）における羽根同志の重なり面の数が増えることになるから、羽根全体の重量や摺動摩擦力が必然的に大きくなってしまう。従って、従来通りの駆動力によって従来通りの走行速度を得るようにするためには、少なくとも羽根を軽量化しなければならないという問題がある。
【０００３】
他方、シャッタ速度（露光時間）の高速化を図るためにも駆動力（ばね力）を大きくするか羽根を軽量化する必要がある。しかしながら、安定した性能を得なければならないという観点から、且つ生産性の観点から、駆動力を、これまで以上に大きくすることは、極めて困難な情勢にある。そのため、高速化に対応するためにも、やはり羽根の軽量化が重要になってくる。ところで、羽根を軽量化するということは、材質面を考慮しないとすれば、各羽根の平面積を小さくするか、厚さを薄くするということである。しかし、各羽根の平面積を小さくすると、展開状態における羽根同志の重なり面積が小さくなってしまい、カメラの不使用時におけるフィルム面への漏光が問題となってしまう。他方、各羽根の厚さを余り薄くすると、カメラの携帯時における振動又は衝撃によって羽根が大きく撓み、やはり有害な漏光が行われてしまうことがある。また、露光走行終了時の衝撃に耐え難くなるという問題もある。
【０００４】
このように、シャッタの小型化と高速化を図ろうとすると、いずれにしてもカメラの不使用時における羽根相互間からの漏光対策が必要になってくる。まして、最近では高感度フィルム（例えばＩＳＯ１６００）が好んで使用されるようになってきたので尚更である。そのため、シャッタを製作するに当たっては、表面処理の面と構造の面から種々の苦心が払われているが、そのうち構造的に解決する方法として極めて効果的なものの一例が特開昭５４−１５１４３９号公報に記載されている。
【０００５】
この従来例は、一般に二重遮光方式と称されているものであって、撮影終了後、フィルムの巻き上げに連動してシャッタがセットされるとき、先羽根群は、先羽根用駆動部材と共にセット位置へ作動するが、後羽根群は、セット位置へ直ちには作動せず、後羽根用駆動部材のみがセット位置へ作動するようになっている。そして、後羽根群は、次の撮影が行われるとき、レリーズの初期段階でセット位置（露光作動開始位置）へ動かされる。従って、カメラの不使用時には、常に露光用開口を先羽根群と後羽根群とによって覆っていることになり、漏光を防止することが可能になる。
【０００６】
しかしながら、このような構成の二重遮光方式は、通常の後羽根用駆動部材を二つの部材に分け、それらの間にばねを掛けるなど、露光作動上重要な部材の構成を複雑にしてしまうほか、後羽根群がレリーズの初期段階にセット位置へ移動するようになっているので、その位置でのバウンドが収まり安定状態になるまで露光作動に入ることができないという問題点がある。そこで、多少、部品点数が増えるかも知れないが、後羽根系の構成や作動形態を変えることなく二重遮光方式を可能にする構成が提案されており、その一例が実公平４−５３６２３号公報に記載されている。
【０００７】
この従来例には、先羽根群と後羽根群のほかに、遮光羽根群と称されるもう一組の羽根群が設けられている。そして、撮影終了後、フィルムの巻き上げに連動してシャッタがセットされるとき、先羽根群と後羽根群は、セット部材によって、夫々の駆動部材と共にセット位置へ作動され、同時に遮光羽根群もセット部材によって重畳状態から展開状態に作動される。そのため、シャッタのセット状態においては、先羽根群と遮光羽根群が、共に展開状態となって露光用開口を覆うことになり、カメラの不使用時における漏光を防止することが可能になる。そして、遮光羽根群は、次の撮影が行われるとき、レリーズの初期段階において、セット部材が初期位置へ復帰するのに伴って重畳状態に復帰するようになっている。本発明は、このように先羽根群と後羽根群のほかに遮光羽根群を備えている二重遮光式のフォーカルプレンシャッタに関するものである。
【０００８】
【発明が解決しようとする課題】
ところで、先羽根群と後羽根群のほかに遮光羽根群を備えているフォーカルプレンシャッタにおいては、上記した実公平４−５３６２３号公報の記載からも分かるように、各羽根群を夫々個別の羽根室に収容している。これは、各羽根群が、作動上、他の羽根群と干渉しないようにするためである。しかし、その結果、従来の羽根室が２室でよいのに対し３室になるので、シャッタ全体の光軸方向への寸法を大きくせざるを得なかった。そのため、カメラ内における他の部品のレイアウトに制約を与えることになり、特に、一眼レフカメラの場合には、ミラーの取り付け位置をレンズ側に移動させなくてはならず、カメラの小型化の要請に逆行し、極めて問題であった。
【０００９】
本発明は、このような問題点を解決するためになされたものであり、その目的とするところは、漏光防止を行うために、先羽根群と後羽根群のほかに遮光羽根群を備えているにもかかわらず、該遮光羽根群のために全羽根群の光軸方向の収容スペースが大きくならずに済むようにしたカメラ用のフォーカルプレンシャッタを提供することである。
【００１０】
【課題を解決するための手段】
上記の目的を達成するために、本発明のフォーカルプレンシャッタは、略中央部に開口部が形成されているシャッタ地板と、略中央部に開口部が形成されていて前記シャッタ地板に取り付けられているカバー板と、略中央部に前記二つの開口部との合成によって露光用開口を規制する開口部が形成されており前記シャッタ地板と前記カバー板との間を仕切って二つの作動空間を形成している中間板と、複数枚の羽根を有していて前記二つの作動空間の一方に配置されておりセット時には露光用開口から退いている重畳位置から該露光用開口を覆っている展開位置に作動される先羽根群と、複数枚の羽根を有していて前記二つの作動空間の他方に配置されておりセット時には前記露光用開口を覆っている展開位置から該露光用開口から退いている重畳位置に作動される後羽根群と、複数枚の羽根を有していて前記後羽根群の作動空間に配置されておりセット時には前記露光用開口から退いている重畳位置から展開位置に作動されレリーズ時には該展開位置から該重畳位置に作動され該展開位置において該露光用開口の少なくとも一部を覆っていて常に前記後羽根群とは接触することの無い遮光羽根群とを備えており、前記遮光羽根群の重畳位置と前記後羽根群の重畳位置とは前記露光用開口を挟んで反対側となるように構成する。
また、本発明のフォーカルプレンシャッタにおいては、好ましくは、セット時に、前記遮光羽根群が展開位置に達する前に前記後羽根群が重畳位置に達しているように構成する。
また、本発明のフォーカルプレンシャッタにおいては、好ましくは、前記先羽根群の作動空間がレンズ側にあって、前記後羽根群と前記遮光羽根群との作動空間がフィルム側となるように配置する。
更に、本発明のフォーカルプレンシャッタにおいては、好ましくは、前記遮光羽根群の羽根の枚数が前記先羽根群の羽根の枚数より少ないようにする。
【００１１】
【発明の実施の形態】
本発明の実施の形態を、図示した三つの実施例で説明する。図面のうち、図１及び図２は第１実施例を、図３及び図４は第２実施例を、図５及び図６は第３実施例を示した断面図であって、それらのうち図１，図３，図５はシャッタのセット状態を示し、図２，図４，図６はシャッタの露光作動終了直後の状態を示している。尚、各図においては、後述する各羽根の相対関係を分かりやすくするために、各羽根の板厚を実際より厚く、また各羽根間を大きく離して描いている。そのため、必然的に、シャッタ地板１，中間板２，カバー板３の間隔も、実際よりは相対的に広く描かれている。
【００１２】
先ず、図１及び図２を用いて第１実施例の構成を説明する。断面図で示してはいるが、周知のように、シャッタ地板１の略中央部には開口部１ａが形成されている。被写体側、即ちレンズ側から見てシャッタ地板１の背面側（図においては右側）には、所定の空間を空けて、適宜な方法で中間板２とカバー板３が順に取り付けられており、それらの中間板２とカバー板３にも開口部２ａ，３ａが形成されている。そして、実際には、それらの三つの開口部は同一形状をしておらず、それらの合成によってシャッタユニットとしての露光用開口が決められているが、本実施例においては、開口部１ａ，２ａ，３ａは同一形状をしているものとして、即ち各開口部が露光用開口を規制しているという前提で説明することにする。
【００１３】
また、シャッタ地板１，中間板２，カバー板３の間に形成された二つの空間は羽根室であるが、周知のように平面上での面積は中間板２が一番小さく、実際には、後述するアームの枢着部の近傍で、二つの羽根室がつながっている。そして、本実施例の場合には、シャッタ地板１と中間板２の間に形成された羽根室には先羽根群が配置され、中間板２とカバー板３の間に形成された羽根室には後羽根群が配置されている。しかしながら、本発明は、このような配置に限定されず、先羽根群を、中間板２とカバー板３の間に形成された羽根室に、また、後羽根群を、シャッタ地板１と中間板２の間に形成された羽根室に配置するようにしても構わない。
【００１４】
先羽根群は、周知であるため図示していない複数のアームと、それらに夫々枢支された４枚の先羽根４，５，６，７で構成されており、このうち先羽根４が先羽根群のスリット形成羽根となっている。また、上記の各アームは、シャッタ地板１に枢着されており、周知のように、図示していない先羽根用駆動部材によって往復回転されるようになっている。そして、撮影に際して、先羽根用駆動部材が、図示していない先羽根用電磁石から釈放され、先羽根用駆動ばねによって回転されると、アームを介して各先羽根４，５，６，７は図１の位置から下方へ作動し、図２に示すように、重畳されて開口部１ａの下方位置へ格納され、また、その後、先羽根用駆動部材が図示していないセット部材によって、駆動ばねの力に抗して回転されると、各先羽根４，５，６，７は上方へ作動し、展開して、図１に示したように露光用開口を覆うようになっている。
【００１５】
本実施例の後羽根群も、基本的には上記した先羽根群と同じ構成をしている。図面には後羽根群を構成している４枚の後羽根８，９，１０，１１だけが示されているが、そのうち、後羽根８がスリット形成羽根となっている。また、後羽根群を構成しているアームは、図示していない後羽根用駆動部材によって往復回転されるようになっていて、撮影時に、後羽根用駆動部材が、図示していない後羽根用電磁石から釈放され、後羽根用駆動ばねによって回転されると、アームを介して各後羽根８，９，１０，１１は下方へ作動し、図２に示すように、展開状態となって露光用開口を覆い、シャッタのセット時において、後羽根用駆動部材が駆動ばねの力に抗して回転されると、各後羽根８，９，１０，１１は重畳しつつ上方へ作動し、図１に示したように格納されるようになっている。
【００１６】
更に、本実施例においては、後羽根群の配置されている羽根室内に、遮光羽根群が配置されている。その遮光羽根群は４枚の遮光羽根１２，１３，１４，１５で構成されており、各遮光羽根は、上記した実公平４−５３６２３号公報に記載された従来例と同様にしてシャッタ地板に枢着されており、セット部材（上記の公報においてはチャージレバーと称されている）がセット位置にあるときには、図１に示すように展開状態となって露光用開口を覆っている。そして、撮影時に、先羽根群が作動するのに先立って、セット部材がセット位置から作動すると、各遮光羽根１２，１３，１４，１５は、重畳しつつ下方へ作動し、図２に示したように格納される。逆に、セット部材がセット位置へ作動するときには、各遮光羽根１２，１３，１４，１５は、展開しつつ上方へ作動し、図１に示したような状態になる。
【００１７】
尚、本実施例においては、図２から分かるように、各遮光羽根１２，１３，１４，１５の上下寸法が、各先羽根４，５，６，７の上下寸法よりも小さくなっている。また、本実施例においては、上記の実公平４−５３６２３号公報に記載された従来例と同様に、各遮光羽根１２，１３，１４，１５をシャッタ地板に枢着しているが、本発明は、上記した先羽根群と同じようにして、遮光羽根群を、複数のアームと、それらに枢支された４枚の遮光羽根１２，１３，１４，１５で構成し、該アームをセット部材によって往復作動させるようにしても構わない。ただ、その場合、遮光羽根群のアームと先羽根群のアームとの枢着位置を相互に好適な配置とするためには、遮光羽根群のアームを、シャッタ地板１に枢着するのではなく、カバー板３に枢着することが考えられる。更に、説明するまでもなく、本実施例の先羽根，後羽根，遮光羽根の表面には、夫々反射防止加工が施されている。
【００１８】
次に、本実施例の作動を説明する。図１はシャッタのセット状態を示しているが、この状態においては、後羽根８，９，１０，１１は重畳されて露光用開口から上方へ退いて格納状態にある。また、先羽根４，５，６，７、及び遮光羽根１２，１３，１４，１５は展開されて露光用開口を覆っている。しかし、遮光羽根１２の上端は、開口部３ａの上端位置と略同じ位置にあり、各後羽根８，９，１０，１１の下端との間には、所定の間隔が保たれている。この状態においては、シャッタ地板１の開口部１ａから入ってきた光の一部が、たとえ先羽根４，５，６，７の重合部から進入し、中間板２の開口部２ａ内に入ったとしても、カバー板３の開口部３ａを通過してフィルム面に向かう光は、遮光羽根１２，１３，１４，１５に当たって減衰される。従って、遮光羽根１２，１３，１４，１５で反射された光が、その後、遮光羽根１２，１３，１４，１５の重合部から進入するようなことがあったとしても、そのときには更に減衰されているので、フィルムには実害を及ぼさないようになっている。
【００１９】
このようなセット状態において、レリーズが行われると、先ず、図示していない周知の先羽根用電磁石と後羽根用電磁石に通電されて、上記した先羽根用駆動部材と後羽根用駆動部材とがセット位置に磁気的に吸着保持され、セット部材はセット位置から退避作動をさせられる。そのとき、セット部材に連動して遮光羽根群も作動し、各遮光羽根１２，１３，１４，１５を重畳させ、露光用開口の下部に格納する。次に、先羽根用電磁石に対する通電が断たれ、電磁石の保持力が失われると、先羽根用駆動部材が先羽根用駆動ばねによって回転され、先羽根群が作動される。そのため、各先羽根４，５，６，７は下方へ走行し、露光用開口を開いた後、重畳状態となって格納される。
【００２０】
図２から分かるように、その状態においては、各先羽根４，５，６，７の上端と、開口部１ａ及び開口部２ａの下端との間には、所定の上下間隔が設定されている。これは、作動の停止時に、バウンドし、スリット形成羽根４が、一時的に露光用開口を覆うようなことがないようにするために設定されたものである。また、各遮光羽根１２，１３，１４，１５は、それらの下端の位置が、各先羽根４，５，６，７の下端の位置と同じになっているので、各遮光羽根１２，１３，１４，１５の上端と、開口部２ａ及び開口部３ａの下端との上下間隔が、上記した先羽根４，５，６，７の場合の上下間隔よりも大きくなっている。
【００２１】
先羽根群が作動してから所定の時間が経過すると、後羽根用電磁石に対する通電が断たれ、後羽根用駆動部材が後羽根用駆動ばねによって回転され、後羽根群が作動を開始する。そのため、各後羽根８，９，１０，１１は展開しつつ下方へ走行し、露光用開口を閉鎖することによって、フィルムの露光作動、即ち撮影が終了する。図２は、その状態を示している。上記したように、各遮光羽根１２，１３，１４，１５の上下寸法は、各先羽根４，５，６，７の上下寸法より小さいため、この状態において、後羽根群のスリット形成羽根８は、その下端（スリット形成縁）の位置が、略、各先羽根４，５，６，７の上端位置まで作動して停止している。そのため、停止時に、バウンドし、一時的に露光用開口を開くようなことがなく、また、各遮光羽根１２，１３，１４，１５に干渉するようなことがない。
【００２２】
シャッタのセット作動は、セット部材によって行われる。セット部材は、カメラ本体側の部材によって作動されると、先ず、先羽根用駆動部材を、先羽根用駆動ばねに抗して回転させ、先羽根群を作動させる。そのため、各先羽根４，５，６，７は展開しつつ上方へ作動するが、スリット形成羽根４の一部が、後羽根群のスリット形成羽根８に重合した段階で、今度は、後羽根用駆動部材をも、後羽根用駆動ばねに抗して回転させ、後羽根群を作動させる。そして、セット部材は、後羽根群のスリット形成羽根８の作動開始以後に、更に、遮光羽根群を作動させる。従って、以後は、各先羽根４，５，６，７と各遮光羽根１２，１３，１４，１５は展開しつつ上方へ作動し、各後羽根８，９，１０，１１は重畳しつつ上方へ作動する。そして、セット部材は、各駆動部材を各電磁石に接触させた状態で停止し、シャッタのセットが完了する。図１は、その状態を示している。
【００２３】
このように、本実施例によれば、遮光羽根群を後羽根群の羽根室に配置しているので、従来のように遮光羽根群のための専用の羽根室を設ける必要がなく、その分だけ光軸方向の寸法を小さくする（薄くする）ことが可能となり、カメラの小型化が容易になる。また、上記したように各遮光羽根１２，１３，１４，１５の上下寸法が各先羽根４，５，６，７の上下寸法よりも小さいため、各後羽根８，９，１０，１１は、露光走行時に、そのスリット形成羽根８が各遮光羽根１２，１３，１４，１５に干渉することなく、所定の展開状態になることが可能となっている。
【００２４】
また、そのように、各遮光羽根１２，１３，１４，１５の上下寸法を小さくしたことによって、各遮光羽根１２，１３，１４，１５の格納位置を、従来より下方位置に下げる必要がなく、中間板２とカバー板３の下方の寸法を大きくしなくて済むという利点がある。更に、図１に示すように、セット状態において、遮光羽根１２の上端が、略、開口部２ａ，３ａの上端の位置となるようにしているので、各後羽根８，９，１０，１１の格納位置を、従来より上方位置に上げる必要がなく、中間板２とカバー板３の上方の寸法を大きくしなくて済むという利点もある。
【００２５】
次に、図３及び図４を用いて第２実施例を説明する。図３はセット状態を示し、図４は露光作動終了直後の状態を示したものである。本実施例は、第１実施例の構成において、遮光羽根１５を取り除いた構成をしている。そのため、各構成部材及びその部位には、第１実施例の場合と同じ符号を付けてある。また、図示されていない周知のシャッタ構成についても第１実施例の場合と同じである。従って、本実施例の作動も、実質的に第１実施例の場合と同じになるから、その説明を省略する。更に、上記の第１実施例の説明において、従来例との比較において述べた利点は、本実施例においても、全て得られるものである。
【００２６】
そこで、本実施例の構成の特徴を説明する。言うまでもないことであるが、シャッタがカメラに組み付けられた状態においては、図３及び図４の上方や下方は、原則として、適宜な手段によって遮光されている。又は、特別な遮光手段を設けなくても問題がない構成になっている。このことは、第１実施例の各図においても、また、後述する第３実施例における各図においても全く同じである。従って、本発明における漏光対策は、主に、開口部１ａから入ってくる光に対するものである。
【００２７】
周知のように、図３において、開口部１ａに入ってきた光は、シャッタ地板１と先羽根４の間、各先羽根４，５，６，７の重合部、及び先羽根７と中間板２の間から進入してくる。そのため、それらの光は、全体として、図３の左下から右上に向けて進入してくることになる。それらのうち、シャッタ地板１と先羽根４の間から進入する光は、上記した先羽根群のアームが、通常は、シャッタ地板１側に配置されていることから、問題が比較的大きい。ここから進入した光は、全体として中間板２の開口部２ａの上方へ進み、反射を繰り返すことによって減衰してから、右下方に向けて開口部２ａに入ってくる。
【００２８】
しかし、その光は、遮光羽根１２，１３などに当たることによって更に減衰されるので、たとえ、その一部が遮光羽根１２，１３，１４の重合部から進入したとしても、既に無視できる程度の光になっており、フィルムに対し実質的に影響を与えない。また、各先羽根４，５，６，７と各遮光羽根１２，１３，１４との間で反射を繰り返すことによって、下方へ進行した光の一部が、遮光羽根１４の下方からカバー板３側へ進入することがあるが、その光は、既に相当減衰している。しかも、その光は、右下方向へ向けて進入するので、その殆どは開口部３ａの下側で反射されることになり、フィルム面に達するまでには更に反射を繰り返すことになる。従って、フィルムに対しては実質的に影響を及ぼさない。
【００２９】
また、各先羽根４，５，６，７の重合部から進入した光のうち、直接、開口部２ａに入ってきた光は、その殆どが遮光羽根１２，１３，１４に当たる。その結果、減衰して反射した光も、その後の反射によって更に減衰されるので、たとえ、その一部が開口部３ａを通過してフィルム面に達しても、実質上、フィルムを感光させるようなことはない。更に、先羽根７と中間板２の間から進入した光は、その一部が開口部２ａ，３ａへ進むことになるが、その光は無視できる程度のものであり、実質上、問題がない。その理由は、各羽根に比べて中間板２が撓まないため、先羽根７と中間板２との重合部における接触関係が、各先羽根４，５，６，７の重合部における接触関係よりも密であるためと、ここから進入する光は、全体として、図３において、開口部１ａ内へ、左上から右下に向けて入ってきた光であることから、シャッタ地板１の下方部と中間板２の下方部との間で反射を繰り返し減衰された後の光が入ってくるからである。
【００３０】
このように、本実施例においては、遮光羽根が３枚であるにもかかわらず、フィルムに対して悪影響を与えるような漏光を防止することが可能になる。そして、本実施例の場合には、第１実施例の場合よりも遮光羽根が１枚少なくて済むから、コストが安くなり、また、セット部材の負荷も軽くなるという利点がある。尚、言うまでもないことであるが、シャッタの漏光対策は、カメラ本体側における漏光対策との関係において対処されるのが普通である。そのため、例えば、一眼レフカメラのミラーが降りている状態において、ミラーの回り、特にその下方からシャッタに向けて反射してくる光が比較的多いような場合には、第１実施例のように構成し、比較的少ない場合には、本実施例のように構成することが考えられる。従って、シャッタに向けて反射してくる光が更に少ない場合には、本実施例における遮光羽根１４を更に省略することも可能となる。また、その場合には、セット状態における遮光羽根１２，１３の位置を、図３の位置よりも多少下方位置にした方が効果的になる。
【００３１】
次に、図５及び図６を用いて第３実施例を説明する。図５はセット状態を示し、図６は露光作動終了直後の状態を示したものである。本実施例の部材構成は、第１実施例の構成と実質的に同じである。そのため、各構成部材及びその部位には、第１実施例の場合と同じ符号を付けてある。また、図示していない周知のシャッタ構成についても第１実施例の場合と同じであるから、重複を避けるため、それらの構成説明と本実施例の作動説明を省略する。更に、第１実施例の説明において述べた、従来例に対する利点は、本実施例においても、同様に得られるものである。
【００３２】
本実施例が、第１実施例と異なる点は、図５から分かるように、セット状態において、遮光羽根１２の上端が、開口部３ａの上端よりも下方位置にあることである。遮光羽根群とセット部材との連結関係の設計によって、このようにすることは極めて簡単であるが、それに伴い、各遮光羽根１２，１３，１４，１５の上下寸法を、第１実施例の場合よりも小さくすることが可能である。このような構成にしても、反射光は、その殆どが、光軸に対して斜めに進むので、遮光羽根１２の上端から開口部３ａに入ってくることが少なく、また、入ってくる光は反射を繰り返した末に相当に減衰しているので、実質的にフィルムに対して悪影響を与えることがない。
【００３３】
本実施例は、このように構成されたことにより、第１実施例の場合よりもシャッタを小型化できるという利点がある。即ち、本実施例においては、セット位置における遮光羽根１２の上端を、第１実施例の場合より下方位置にしているため、重畳状態に格納されている各後羽根８，９，１０，１１の下端を、開口部２ａ，３ａの上端位置に近づけている。そのため、本実施例においては、３枚の板１，２，３の上端から開口部１ａ，２ａ，３ａの上端までの寸法が、夫々、第１実施例の場合よりも短くなっており、その分だけ、シャッタ全体の上下寸法が小さくなっている。周知のように、セット作動時には、露光走行時と異なり、既に述べたようなバウンドを考慮する必要がないので、このようにすることが可能になる。また、このようにする場合であっても、遮光効果という点からは、遮光羽根１２の上端を、干渉しない範囲で、出来るだけ各後羽根８，９，１０，１１の下端に近づけることが好ましい。
【００３４】
尚、上記の各実施例においては、シャッタ地板１と中間板２との間に、先羽根群を配置し、中間板２とカバー板３との間に、後羽根群と遮光羽根群を配置しているが、本発明は、シャッタ地板１と中間板２との間に、後羽根群と遮光羽根群を配置し、中間板２とカバー板３との間に、先羽根群を配置するようにしても差し支えない。しかし、実施例のように配置した方が、開口部１ａから進入してきた光に対しても効果を発揮するのに有利である。また、各実施例においては、各羽根群が、撮影時に、上方から下方に向けて走行するが、下方から上方へ向けて走行するようなシャッタにも本発明は適用できる。更に、本発明における各羽根群の羽根の枚数は、上記した実施例の枚数に限定されるものではない。
【００３５】
【発明の効果】
上記のように、本発明によれば、漏光防止を行うために、先羽根群と後羽根群のほかに遮光羽根群を備えているにもかかわらず、それらの羽根群を収容するために要する光軸方向の収容スペースを大きくしなくて済み、従来よりも光軸方向に薄く構成できるので、極めて効果が大きい。
【図面の簡単な説明】
【図１】第１実施例の断面図であって、シャッタのセット状態を示している。
【図２】第１実施例の断面図であって、シャッタの露光作動終了直後の状態を示している。
【図３】第２実施例の断面図であって、シャッタのセット状態を示している。
【図４】第２実施例の断面図であって、シャッタの露光作動終了直後の状態を示している。
【図５】第３実施例の断面図であって、シャッタのセット状態を示している。
【図６】第３実施例の断面図であって、シャッタの露光作動終了直後の状態を示している。
【符号の説明】
１                            シャッタ地板
１ａ，２ａ，３ａ              開口部
２                            中間板
３                            カバー板
４，５，６，７                先羽根
８，９，１０，１１            後羽根
１２，１３，１４，１５        遮光羽根
【図１】
0003822951.tif 000002
【図２】
0003822951.tif 000003
【図３】
0003822951.tif 000004
【図４】
0003822951.tif 000005
【図５】
0003822951.tif 000006
【図６】
0003822951.tif 000007